(57)【要約】【課題】  紫外線が照射されている野外に出る場合、衣類又は装身具又は人体に容易に装着でき、人体に有害な所定強度の紫外線や所定以上の紫外線累積被爆線量を検出した場合、携帯者にそのことを容易に知らせることができる紫外線測定警告装置及び紫外線測定警告器付き筆記用具を提供すること。【解決手段】紫外線センサ１１と、該紫外線センサ１１の出力から累積被爆線量を算出する被爆線量積算手段と、被爆する紫外線強度が所定以上になったら警告を発する紫外線強度警告手段及び／又は被爆した累積被爆線量が所定値以上となったら警告を発する被爆線量警告手段を具備する紫外線測定警告器３５と、筆記用具本体３１と紫外線が透過する材料からなるキャップ３２からなる筆記用具とを備え、該筆記用具本体３１の頂部に前記紫外線測定警告器３５を装着した。【選択図】図３
2006029970.tif 000002
【特許請求の範囲】
【請求項１】
紫外線が透過する材料からなる保護用キャップで保護された紫外線を測定する紫外線センサ部と、該紫外線センサ部の出力から累積被爆線量を算出する被爆線量積算手段と、被爆する紫外線強度が所定以上になったら警告を発する紫外線強度警告手段及び／又は被爆した累積被爆線量が所定値以上となったら警告を発する被爆線量警告手段を具備する紫外線測定警告器と、該紫外線測定警告器を衣類又は装身具又は人体に装着する装着手段を備えたことを特徴とする紫外線測定警告装置。
【請求項２】
紫外線を測定する紫外線センサ部と、該紫外線センサ部の出力から累積被爆線量を算出する被爆線量積算手段と、被爆する紫外線強度が所定以上になったら警告を発する紫外線強度警告手段及び／又は被爆した累積被爆線量が所定値以上となったら警告を発する被爆線量警告手段を具備する紫外線測定警告器と、筆記用具本体と紫外線が透過する材料からなるキャップからなる筆記用具とを備え、該筆記用具本体の頂部に前記紫外線測定警告器を装着し、該紫外線測定警告器の紫外線センサ部を被うように前記キャップを前記筆記用具本の頂部に装着したことを特徴とする紫外線測定警告器付き筆記用具。
【発明の詳細な説明】
【技術分野】
【０００１】
本発明は衣類又は装身具又は人体に装着することが可能な超小型の紫外線測警告装置及び紫外線の測定警告機能を有する紫外線測定警告器を装着した紫外線測定警告器付き筆記用具に関するものである。
【背景技術】
【０００２】
近年、オゾン層の破壊により身体に有害な紫外線の被爆が問題視されつつある。紫外線が皮膚に有害であることは既に周知のことであり、特に女性や子供にとって無視できない問題である。ところが従来、紫外線の測定には、高価で比較的大型な測定装置が必要であり、常時持ち歩いて手軽に、且つ容易に紫外線強度や紫外線被爆量を測定できるものはなかった。また、従来の紫外線測定装置はその測定結果を数値により表示するだけであり、人体に有害な所定強度以上の紫外線を測定した場合や、有害な所定以上の紫外線量を被爆した際、それをランプやブザー音や音声等で手軽に警告するものではなかった。
【発明の開示】
【発明が解決しようとする課題】
【０００３】
本発明は上述の点に鑑みてなされたものであり、紫外線が照射されている野外に出る場合、衣類又は装身具又は人体に容易に装着でき、人体に有害な所定強度の紫外線や所定以上の紫外線被爆線量を検出した場合、携帯者にそのことを容易に知らせることができる紫外線測定警告装置及び紫外線測定警告器付き筆記用具を提供することを目的とする。
【課題を解決するための手段】
【０００４】
上記課題を解決するため請求項１に記載の発明は、紫外線が透過する材料からなる保護用キャップで保護された紫外線を測定する紫外線センサ部と、該紫外線センサ部の出力から累積被爆線量を算出する被爆線量積算手段と、被爆する紫外線強度が所定以上になったら警告を発する紫外線強度警告手段及び／又は被爆した累積被爆線量が所定値以上となったら警告を発する被爆線量警告手段を具備する紫外線測定警告器と、該紫外線測定警告器を衣類又は装身具又は人体に装着する装着手段を備えたことを特徴とする紫外線測定警告装置にある。
【０００５】
請求項２に記載の発明は、紫外線を測定する紫外線センサ部と、該紫外線センサ部の出力から累積被爆線量を算出する被爆線量積算手段と、被爆する紫外線強度が所定以上になったら警告を発する紫外線強度警告手段及び／又は被爆した累積被爆線量が所定値以上となったら警告を発する被爆線量警告手段を具備する紫外線測定警告器と、筆記用具本体と紫外線が透過する材料からなるキャップからなる筆記用具とを備え、該筆記用具本体の頂部に前記紫外線測定警告器を装着し、該紫外線測定警告器の紫外線センサ部を被うように前記キャップを前記筆記用具本の頂部に装着したことを特徴とする紫外線測定警告器付き筆記用具にある。
【発明の効果】
【０００６】
請求項１に記載の発明によれば、紫外線測定警告器を装着手段で衣類又は装身具又は人体に装着し、紫外線が照射されている野外に出た場合、所定強度以上の紫外線を被爆したり、紫外線の累積被爆線量が所定値以上となったら、紫外線強度警告手段や被爆線量警告手段がそれを知らせるから、被爆者は容易にそのことを知ることができ、その対策を採ることが可能となる。
【０００７】
請求項２に記載の発明によれば、日常的に使用する筆記用具に紫外線測定警告器が付いているから、紫外線測定警告器付き筆記用具を携帯して紫外線が照射されている野外に出た場合、所定強度以上の紫外線を被爆したり、紫外線の累積被爆線量が所定値以上となったら、紫外線強度警告手段や被爆線量警告手段がそれを知らせるから、被爆者は容易にそのことを知ることができ、その対策を採ることが可能となる。しかも紫外線測定警告器が日常的に使用する筆記用具に付いているから、使用者は紫外線測定警告器の携行を日常生活の中で意識することなく携帯できる。
【発明を実施するための最良の形態】
【０００８】
以下、本発明の実施の形態例を図面に基づいて詳細に説明する。図１は本発明に係る紫外線測定警告装置の構成例を示すブロック図である。図示するように、紫外線測定警告装置１０は、紫外線センサ１１、電圧増幅器１２、ワンチップ型のマイクロコンピュータ１３、電池１４、結果表示用ＬＥＤ１５、及び結果表示用スピーカ１６を具備している。なお、紫外線センサ１１は市販されているものを用いる。
【０００９】
紫外線センサ１１で測定された紫外線の測定出力（検出信号）は電圧増幅器１２で増幅され、マイクロコンピュータ１３に入力される。マイクロコンピュータ１３は測定された紫外線強度が人体に有害な所定以上の強度である場合、結果表示用ＬＥＤ１５を点灯したり、結果表示用スピーカ１６を駆動してそのことを紫外線測定警告装置１０を装着している者に知らせる。また、マイクロコンピュータ１３は累積被爆線量値が有害な所定線量値以上となったら結果表示用ＬＥＤ１５を点灯したり、結果表示用スピーカ１６を駆動してそのことを紫外線測定警告装置１０を装着している者に知らせる。
【００１０】
この場合ＬＥＤ１５を発光色の異なる複数のＬＥＤ１５とし、紫外線強度が所定以上の場合は「赤」色ＬＥＤ１５を駆動し、累積被爆線量が所定値を越えた場合は「青」色ＬＥＤ１５を駆動するとしいうように色を変えて表示してもよい。また、結果表示用スピーカ１６により「ただいま紫外線が強いから紫外線対策をしてください」とか、累積被爆線量が所定量を越えた場合は、例えば「あなたは多くの紫外線を受けました、皮膚の健康のため日陰や屋内に避難しましょう」と音声で紫外線測定警告装置１０を装着している者に知らせる。また、ブザーを設け、ブザー音又は音色変化で警告するようにしてもよい。
【００１１】
電圧増幅器１２、ワンチップ型のマイクロコンピュータ１３、電池１４、結果表示用ＬＥＤ１５、及び結果表示用スピーカ１６は、例えば図２に示すように１個の筐体１８に所定の配置で実装し、該紫外線センサ１１の表面を紫外線が透過する透明な材料からなるキャップ１９で被って、紫外線測定警告器２０を構成する。該紫外線測定警告器２０に衣類に装着するバッジ等に用いるねじやナットから装着手段２１を設ける。また、装着手段としてはバンドやピン等により装身具又は人体に装着できるものでもよい。また、紫外線測定警告器２０をペンダント等の装身具に装着するようにしてもよい。なお、図２（ａ）は紫外線測定警告装置の正面図、図２（ｂ）はその側面図である。
【００１２】
図３は本発明に係る紫外線測定警告器付き筆記用具の構成例を示す図である。筆記用具（例えばボールペン）３０は先端に筆記部３４を有する筆記用具本体３１と、該筆記用具本体３１の頭部に着脱可能なキャップ３２からなる。キャップ３２は紫外線が透過する透明な材料からなる。３３はセンサ設置台であり、該センサ設置台３３に図１に示す紫外線測定警告装置１０を構成する部品である紫外線センサ１１、結果表示用ＬＥＤ１５、図示は省略する電圧増幅器、ワンチップ型のマイクロコンピュータ、及び電池が実装され、紫外線測定警告器３５を構成している。このようにセンサ設置台３３に各種部品の実装してなる紫外線測定警告器３５を筆記用具本体３１の頂部に装着し、紫外線センサ１１を被うようにキャップ３２を筆記用具本体３１の頂部に装着して紫外線測定警告器付き筆記用具が構成される。なお、図示しないが、結果表示用スピーカもキャップ３２や筆記用具本体３１の所定の位置、或いはセンサ台３３に音声が外部に出るように設けてもよい。
【００１３】
上記紫外線センサ１１、結果表示用ＬＥＤ１５、電圧増幅器、ワンチップ型のマイクロコンピュータ、及び電池の動作は図１に示す紫外線測定警告装置１０と同一であるから、その説明は省略する。このように筆記用具３０の本体３１の頂部に紫外線測定警告器３５を装着し、その紫外線センサ１１を紫外線が透過する透明のキャップ３２で被って紫外線測定警告器付き筆記用具を構成することにより、該紫外線測定警告器付き筆記用具を胸のポケット等に差し込んだ場合、紫外線受光率と、結果表示用ＬＥＤ１５の発光の確認性を向上させることができる。なお、電池から電圧増幅器やマイクロコンピュータ等の電子部品への電力供給・停止はオン・オフ形式の電源スイッチを用いるのではなく、紫外線センサ１１からの入力信号（紫外線検出信号）の強弱により、紫外線強度が所定以上の場合各部品に電力を供給して計測を実行し、紫外線強度が所定以下の場合電力の供給を停止して計測を停止するようにしてもよい。これにより電池の消費電力を節約でき、電池寿命を長くすることができる。
【００１４】
上記のように筆記用具３０に紫外線測定警告器３５を装着し、紫外線測定警告器付き筆記用具とすることにより、利用者は紫外線の強度や累積被爆線量の測定機能だけでなく、筆記用具としての利用が可能であることから、より日常的に携帯し易くなり、皮膚に対するシミ、シワといった紫外線に起因する皮膚のダメージ、老化を抑制・防止する対策を積極的に取ることが可能となる。また、図２に示す構成の紫外線測定警告器２０も衣類、装身具、身体に装着することにより、利用者は紫外線の強度や累積被爆線量が所定の有害値を越えたことを容易に知ることができるから、紫外線に起因する皮膚のダメージ、老化を抑制・防止する対策を積極的に取ることが可能となる。なお、上記例では、累積被爆線量値が所定値以上となった場合、警告を出す例を示したが、紫外線測定警告装置や紫外線測定警告器付き筆記用具を装着し、紫外線の測定を開始してからの単位時間当りの被爆線量値が所定値を越えた場合に警告を発するようにしてもよい。
【００１５】
以上本発明の実施形態を説明したが、本発明は上記実施形態に限定されるものではなく、特許請求の範囲、及び明細書と図面に記載された技術的思想の範囲内において種々の変形が可能である。
【図面の簡単な説明】
【００１６】
【図１】本発明に係る紫外線測定警告装置の構成例を示すブロック図である。
【図２】本発明に係る紫外線測定警告装置の外観構成例を示す図である。
【図３】本発明に係る紫外線測定警告器付き筆記用具の外観構成例を示す図である。
【符号の説明】
【００１７】
１０      紫外線測定警告装置
１１      紫外線センサ
１２      電圧増幅器
１３      マイクロコンピュータ
１４      電池
１５      結果表示用ＬＥＤ
１６      結果表示用スピーカ
１８      筐体
１９      キャップ
２０      紫外線測定警告器
２１      装着手段
３０      筆記用具
３１      筆記用具本体
３２      キャップ
３３      センサ設置台
３４      筆記部
３５      紫外線測定警告器
【図１】
2006029970.tif 000003
【図２】
2006029970.tif 000004
【図３】
2006029970.tif 000005